(57)【要約】      （修正有）【課題】（イ）設営の際には、床面又は地面に、効率的に貼り付けることができるため、高い作業効率性を発揮でき、さらには、（ロ）長尺状のテープが誘導線としての効果を発揮し、かつ当該テープには待機すべき位置の表示が施されているために、待機者間又は物品間の適切な距離、設置すべき位置を容易に認識できる距離維持テープを提供する。【解決手段】距離維持テープ１０は、粘着剤が塗布された粘着面１１ａおよび非粘着面１１ｂを有する長尺状テープ本体１１と、非粘着面１１ｂに、一定間隔ごとに待機者又は物品の待機又は設置すべき位置を示す位置線１２とを有する。【選択図】図１
0003227909.tif 000002
【実用新案登録請求の範囲】
【請求項１】
粘着剤が塗布された粘着面（１１ａ）および非粘着面（１１ｂ）を有する長尺状テープ本体（１１）と、当該非粘着面（１１ｂ）に、一定間隔ごとに待機者又は物品の待機又は設置すべき位置を示す位置線（１２）とを有する距離維持テープ。
【請求項２】
前記位置線（１２）上又はその近傍に、目的地点までの距離が表示されてなる請求項１に記載の距離維持テープ。
【請求項３】
ロール状に巻かれてなる請求項１又は２の距離維持テープ。
【考案の詳細な説明】
【技術分野】
【０００１】
本考案は、待機者間又は物品間において一定の距離（一定間隔）を維持するためのテープ（距離維持テープ）に関し、より具体的には、待機者間又は物品間の適切な距離（例：ソーシャルディスタンス）を容易に認識できる距離維持テープに関する。
【背景技術】
【０００２】
たとえば、イベント会場やスーパーマーケットの会計場所などでは、不特定多数の者が狭い空間で待機するため、待機者同士が密接な状態となることが多い。
【０００３】
そのため、インフルエンザウィルスやコロナウィルスなどによる各種感染症が蔓延している場合は、待機者間の物理的な距離を維持して、待機者間の濃厚接触を防ぐ必要がある。すなわち、待機者にソーシャルディスタンス（社会的距離）について注意喚起をするなど、感染防止のための配慮・対策が必要となる。
【０００４】
たとえば、非特許文献１では、床もしくは地面に貼り付けて使用するフロアサインが提案されている。このフロアサインは、「・・・ｍ離れてお並びください」、「こちらでお待ちください」、「Ｓｔａｎｄ  Ｈｅｒｅ」などの表示が印刷されており、待機者に待機すべき位置を認識させることができるとともに、一定の距離を維持することを喚起できる。
【先行技術文献】
【非特許文献】
【０００５】
【非特許文献１】ｈｔｔｐｓ：／／ｗｗｗ．ｈａｎｓｏｋｕｋａｋｏｕ−ｎａｖｉ．ｃｏｍ／ｄｏｗｎｌｏａｄ／ｆｏｒｍ／？ｄ＝ｓｏｃｉａｌｄｉｓｔａｎｃｉｎｇ
【考案の概要】
【考案が解決しようとする課題】
【０００６】
このようなフロアサインにおいては、待機者を待機させるべき位置を想定し、フロアサイン間の距離を測りながら、粘着テープなどを用いて、フロアサインを床に貼り付ける必要がある。そのため、特にイベント会場などで急な設営が求められる場合、設営者の負担も大きく、作業効率性に改善の余地があった。
【０００７】
また、フロアサインだけでは、待機者は待機すべき場所・位置や進行方向（進行すべき方向）を認識しづらいこともある。そのため、別途、誘導線や誘導するための案内矢印などを設けなければ、待機者が無秩序に待機することにもなりかねない。すなわち、却って、待機者間の濃厚接触が発生しやすくなることも考えられる。
【０００８】
このような従来の問題点を鑑みて、本考案者は、従来の技術について鋭意検討の結果、予め、粘着面を有する長尺状テープの非粘着面に、一定間隔ごとに待機者又は物品の待機又は設置すべき位置を示す位置線を設けておくことで、このような従来の問題点を解決できることを見出した。
【０００９】
すなわち、本考案は、（イ）床面又は地面に、効率的に貼り付けることができ（高い作業効率性を発揮でき）、（ロ）待機者間又は物品間の適切な距離、設置すべき位置、および待機者の進行方向を容易に認識できる、距離維持テープを提供することを目的とする。
【課題を解決するための手段】
【００１０】
本考案に係る距離維持テープは、粘着剤が塗布された粘着面（１１ａ）および非粘着面（１１ｂ）を有する長尺状テープ本体（１１）と、当該非粘着面（１１ｂ）に、一定間隔ごとに待機者又は物品の待機又は設置すべき位置を示す位置線（１２）とを有することを特徴とする。
【００１１】
また、本考案に係る距離維持テープにおいては、前記位置線（１２）上又はその近傍に、目的地点までの距離が表示されてなることが好ましい。
【００１２】
さらに、本考案に係る距離維持テープは、ロール状に巻かれてなることが好ましい。
【考案の効果】
【００１３】
本考案に係る距離維持テープによれば、（イ）設営の際には、床面又は地面に、効率的に貼り付けることができるため、高い作業効率性を発揮でき、さらには、（ロ）長尺状のテープが誘導線としての効果を発揮し、かつ当該テープには待機すべき位置の表示が施されているために、待機者間又は物品間の適切な距離、設置すべき位置、待機者の進行方向を容易に認識できるという、従来の技術には見られない効果を発揮できる。
【図面の簡単な説明】
【００１４】
【図１】図１は、本考案に係る距離維持テープの一態様を示すための図である。図１（Ａ）および（Ｂ）は、それぞれ、距離維持テープの上面図および断面図を示す。
【図２】図２は、本考案に係る距離維持テープの一態様を示す上面図であり、当該テープには目的地点までの距離が表示されている態様となっている。
【考案を実施するための形態】
【００１５】
以下、本考案に係る距離維持テープについて、図面を適宜参照しながら、詳細に説明する。
【００１６】
本考案に係る距離維持テープは、床面又は地面（以下、「フロア面」ともいう）に貼り付けて使用され、目的地点（例えば、会計場所、販売場所など）までに待機者（顧客）を、一定の待機者間距離を維持しながら誘導し、あるいは物品の設置位置を容易に認識できるという効果を発揮する。
【００１７】
図１（Ａ）および（Ｂ）に示されるように、本考案に係る距離維持テープ１０は、少なくとも、長尺状テープ本体１１と位置線１２とから構成されている。なお、必要に応じて、その他の構成や部材を有していてもよい。
【００１８】
長尺状テープ本体１１は、図１（Ｂ）（断面図）に示されるように、粘着剤が塗布された粘着面１１ａを有する一方、その反対面は、特に粘着剤が塗布されていない非粘着面（１１ｂ）とを有する。ここで、粘着面１１ａは、本考案に係る距離維持テープをフロア面に貼り付ける機能を有するため、その機能を発揮する限り、粘着剤の種類は特に限定されない。たとえば、ゴム系粘着剤、アクリル系粘着剤、シリコーン系粘着剤など公知の粘着剤が使用される。
また、床面に貼り付けられた本考案に係る距離維持テープを剥離し撤去する際に、床面への糊残りがない又は糊残りを著しく低減できるという観点からは、粘着面１１ａの粘着力は、一般的に養生テープという名称で販売されている粘着テープの粘着力程度であることが好ましい。
【００１９】
また、長尺状テープ本体１１の材質も特に限定されるものではなく、一般的なテープ基材として使用されている材質のものであってもよい。たとえば、ポリプロピレンなどＯＰＰ材（オレフィン系基材）、クラフト紙、化学繊維布、塩化ビニル系基材などが挙げられる。これらの材質の表面（すなわち、非粘着面）は、耐水性や撥水性を付与する観点から、ラミネート処理されていることが好ましい。
【００２０】
長尺状テープ本体の色も特に限定されないが、待機者を効率よく誘導できるようにするという観点から、黄色など、待機者の注意を惹く色であることが好ましい。
【００２１】
非粘着面１１ｂは、後述するように、位置線を設けることができる限り、特段の処理がなされている必要はないが、たとえば、撥水処理、防汚処理、防滑施工など、粘着テープの非接着面に施される一般的な表面処理がなされていてもよい。
【００２２】
また、付番１２は、位置線を示す。当該位置線１２は、長尺状テープ本体１１の非粘着面１１ｂに一定間隔ごとに施され、待機者又は物品の待機又は設置すべき位置を示す機能を有する。
【００２３】
ここで、位置線間の距離Ｍは、想定する待機者間又は物品間の距離に応じて適宜決定することができる。たとえば、コロナウィルスの感染症予防対策として使用する場合、距離Ｍは１〜３ｍ程度になる。
【００２４】
位置線１２は、長尺状テープ本体１１の非粘着面１１ｂに直接印刷されていてもよいし、別途、粘着層を有するシート材に印刷されたものが非粘着面１１ｂに貼付されてなるものであってもよい。
また、位置線１２や後述する距離表示１３は、蛍光塗料、蓄光塗料あるいは反射塗料などを用いて印刷されたものが好ましい。たとえば、夜の屋外や暗い屋内であっても、位置線１２や距離表示１３が目立ちやすく、待機者間や物品間の距離を維持しやすいためである。
【００２５】
また、位置線１２は、適宜、待機者が待機位置として認識しやすいように、たとえば、待機者の注意を惹くような色調で、足型マークや「ＳＴＡＮＤ  ＨＥＲＥ」などのメッセージが表示されていることが好ましい。また、進行方向を認識しやすくするために、進行方向を示す矢印などを表示することも好ましい。なお、夜の屋外や暗い屋内であっても認識しやすいという観点からは、前記メッセージや矢印は、蛍光塗料、蓄光塗料あるいは反射塗料などを用いて印刷されたものが好ましい。
【００２６】
図２に示されるように、目的地点までの距離を示す表示（距離表示）を表している目的地点（待機者が向かう場所、たとえば、会計場所、販売場所など）までの距離（通常、テープ本体の末端部（待機者の進行方向（図２の右側方向）の末端部）からの距離）が表示されてなる態様も好ましい。待機者が待機中にも、目的地点までの距離、さらには、目安として凡その待機時間が分かるためである。
付番１３で示される距離表示は、位置線１２の近傍に施されているが、位置線１２上であってもよい。
なお、図２では、距離表示が２ｍ間隔で設けられているが、この間隔は特に限定されず、本考案に係る距離維持テープの末端又はその近傍を０ｍ地点として、たとえば、１ｍ間隔の距離表示と、１０ｃｍ間隔の距離表示を併記してもよい。特に、イベント会場などにおいて、物品（机、椅子など）を整列させるなどの設営作業の効率化を図ることができる。
【００２７】
また、設営の際の作業効率性を一層向上させることができるという観点からは、本考案に係る距離維持テープは、ロール状に巻かれてなることが好ましい。
【００２８】
通常、ロール状態において、粘着面１１ａが、非粘着面１１ｂに張り付くことを防止するために、非粘着面１１ｂに、背面処理剤などで剥離処理がなされている。ここで、背面処理剤（粘着テープ用背面処理剤）としては、公知の剥離剤（シリコーン系剥離剤や非シリコーン系剥離剤）が使用される。
【００２９】
また、本考案に係る距離維持テープをロール状で使用する場合、設営者の作業効率性向上の観点からは、テープカッターとともに使用されることが望ましい。
【産業上の利用可能性】
【００３０】
本考案によれば、（イ）設営の際には、床面又は地面に、効率的に貼り付けることができるため、高い作業効率性を発揮でき、さらには、（ロ）長尺状のテープが誘導線としての効果を発揮し、かつ当該テープには待機すべき位置の表示が施されているために、待機者間又は物品間の適切な距離、設置すべき位置および待機者の進行方向を容易に認識できる距離維持テープを提供することができる。
【符号の説明】
【００３１】
１０：本考案に係る距離維持テープ
１１：長尺状テープ本体
１１ａ：粘着面
１１ｂ：非粘着面
１２：位置線
１３：距離表示
Ｌ：位置線１２間の距離
【図１】
0003227909.tif 000003
【図２】
0003227909.tif 000004